(57)【要約】【課題】１つの信号線対を構成する２つの信号線が他の信号線を挟むようにして端子に接続される場合であってもクロストークを抑制可能なコネクタを提供すること。【解決手段】コネクタ１０は、第１信号線対８６１及び第２信号線対８６２を有するケーブル８０に接続されている。コネクタは、シールド部５８２を備えており、且つ、第１信号線対８６１及び第２信号線対８６２の信号線８８の被保持部８９２を保持している。第２信号線対８６２の被保持部８９２は、ピッチ方向において第１信号線対８６１の被保持部８９２の間に位置しており、且つ、第１信号線対８６１の被保持部８９２は、上下方向において第２信号線対８６２の被保持部８９２の上方に位置している。シールド部５８２は、ピッチ方向において第１信号線対８６１の被保持部８９２の間に位置しており、且つ、上下方向において第２信号線対８６２の被保持部８９２の上方に位置している【選択図】図１３
2019114401.tif 000002
【特許請求の範囲】
【請求項１】
複数の信号線対を備えたケーブルに接続されるコネクタであって、
前記信号線対の夫々は、２つの信号線からなり、
前記信号線の夫々は、被保持部を有しており、
前記複数の信号線対には、１つの第１信号線対と、１つの第２信号線対とが含まれており、
前記コネクタは、ハウジングと、シールド部と、複数の端子とを備えており、
前記ハウジングは、前記シールド部と、前記端子と、前記信号線の前記被保持部とを保持しており、
前記端子は、ピッチ方向に並べられており、且つ、前記信号線に夫々接続されており、
前記第２信号線対の前記被保持部は、前記ピッチ方向において前記第１信号線対の２つの前記被保持部の間に位置しており、且つ、前記第１信号線対の前記被保持部は、前記ピッチ方向と直交する上下方向において前記第２信号線対の前記被保持部の上方に位置しており、
前記シールド部は、前記ピッチ方向において前記第１信号線対の２つの前記被保持部の間に位置しており、且つ、前記上下方向において前記第２信号線対の前記被保持部の上方に位置している
コネクタ。
【請求項２】
請求項１記載のコネクタであって、
前記複数の信号線対には、前記第１信号線対及び前記第２信号線対に加えて、１以上の外側信号線対が含まれており、
前記外側信号線対の前記被保持部は、前記ピッチ方向において前記第１信号線対の前記被保持部の外側に位置している
コネクタ。
【請求項３】
請求項１又は請求項２記載のコネクタであって、
前記コネクタは、分離部を備えており、
前記第１信号線対及び前記第２信号線対の前記信号線の夫々は、前記ピッチ方向及び前記上下方向の双方と直交する前後方向において前記被保持部の後方に位置する被分離部を有しており、
前記第１信号線対の前記被分離部は、少なくとも部分的に前記分離部の上方に位置しており、前記第２信号線対の前記被分離部は、前記分離部の下方に位置している
コネクタ。
【請求項４】
請求項３記載のコネクタであって、
前記分離部は、金属からなり、前記シールド部と繋がっている
コネクタ。
【請求項５】
請求項４記載のコネクタであって、
前記コネクタは、カバー部材を備えており、
前記分離部及び前記シールド部の夫々は、前記カバー部材の一部であり、
前記ケーブルは、シールド材を備えており、
前記カバー部材は、前記シールド材に接続されている
コネクタ。
【請求項６】
請求項２記載のコネクタであって、
前記コネクタは、第１付加的シールド部と、第２付加的シールド部とを備えており、
前記外側信号線対には、１つの第１外側信号線対と、１つの第２外側信号線対とが含まれており、
前記第１信号線対の前記被保持部は、前記ピッチ方向において前記第１外側信号線対の前記被保持部と前記第２外側信号線対の前記被保持部との間に位置しており、
前記第１付加的シールド部は、前記第１外側信号線対の前記被保持部のうちの前記ピッチ方向内側の前記被保持部の上方に少なくとも位置しており、且つ、前記第２付加的シールド部は、前記第２外側信号線対の前記被保持部のうちの前記ピッチ方向内側の前記被保持部の上方に少なくとも位置している
コネクタ。
【請求項７】
請求項６記載のコネクタであって、
前記第１付加的シールド部は、前記第１外側信号線対の２つの前記被保持部の上方に位置しており、且つ、前記第２付加的シールド部は、第２外側信号線対の２つの前記被保持部の上方に位置している
コネクタ。
【請求項８】
請求項６又は請求項７記載のコネクタであって、
前記コネクタは、分離部を備えており、
前記第１信号線対、前記第２信号線対、前記第１外側信号線対及び前記第２外側信号線対の前記信号線の夫々は、前記ピッチ方向及び前記上下方向の双方と直交する前後方向において前記被保持部の後方に位置する被分離部を有しており、
前記第１信号線対の前記被分離部は、少なくとも部分的に前記分離部の上方に位置しており、前記第２信号線対、前記第１外側信号線対及び前記第２外側信号線対の前記信号線の前記被分離部は、前記分離部の下方に位置している
コネクタ。
【請求項９】
請求項８記載のコネクタであって、
前記分離部は、金属からなり、前記シールド部、前記第１付加的シールド部及び前記第２付加的シールド部と繋がっている
コネクタ。
【請求項１０】
請求項８又は請求項９記載のコネクタであって、
前記コネクタは、付加的分離部を備えており、
前記付加的分離部は、前記第２信号線対の前記被分離部を、前記第１外側信号線対の前記被分離部及び前記第２外側信号線対の前記被分離部から、前記ピッチ方向において分離している
コネクタ。
【請求項１１】
請求項１０記載のコネクタであって、
前記コネクタは、カバー部材を備えており、
前記分離部、前記シールド部及び前記付加的分離部の夫々は、前記カバー部材の一部であり、
前記ケーブルは、シールド材を備えており、
前記カバー部材は、前記シールド材に接続されている
コネクタ。
【請求項１２】
請求項５又は請求項１１記載のコネクタであって、
前記コネクタは、シェルを備えており、
前記シェルは、前記カバー部材に接続されており、且つ、前記ピッチ方向及び前記上下方向によって規定される所定平面において、前記ハウジングを少なくとも部分的に覆っている
コネクタ。
【請求項１３】
請求項１から請求項１２までのいずれかに記載のコネクタであって、
前記ハウジングは、整列部材と、保持部材とを備えており、
前記整列部材は、前記信号線の前記被保持部を保持して整列させており、前記保持部材は、前記端子及び前記整列部材を保持している
コネクタ。
【請求項１４】
請求項１から請求項１３までのいずれかに記載のコネクタであって、
モジュラープラグである
コネクタ。
【発明の詳細な説明】
【技術分野】
【０００１】
本発明は、複数の信号線対を有するケーブルに接続されるコネクタに関する。
【背景技術】
【０００２】
例えば、特許文献１には、このタイプのコネクタが開示されている。
【０００３】
図１８を参照すると、特許文献１には、４つの信号線対を有するケーブル（図示せず）に接続されたモジュラープラグ（コネクタ）９０が開示されている。コネクタ９０は、保持部材９２と、保持部材９２に保持された８つの接点端子（端子）９４とを備えている。８つの端子９４は、ピッチ方向（Ｙ方向）に沿って、１列に並べられており、ケーブルの８本の導線（信号線）９８１〜９８８に夫々接続されている。２つの信号線９８１及び信号線９８２、２つの信号線９８４及び信号線９８５、２つの信号線９８７及び信号線９８８、及び、２つの信号線９８３及び信号線９８６は、ケーブルの４つの信号線対を夫々構成している。１つの信号線対における信号線９８３及び信号線９８６は、モジュラープラグの規格により、Ｙ方向において信号線９８４及び信号線９８５を挟むようにして２つの端子９４に夫々接続されている。
【先行技術文献】
【特許文献】
【０００４】
【特許文献１】特許第４８２３２８６号公報
【発明の概要】
【発明が解決しようとする課題】
【０００５】
信号線９８３及び信号線９８６がＹ方向において信号線９８４及び信号線９８５を挟むようにして端子９４に接続されているため、信号線９８３及び信号線９８６の夫々と他の信号線との間に生じるクロストークによって信号が強く影響されやすい。特に、信号の伝送速度が速くなるに連れて、クロストークに起因して信号の伝送特性が劣化する。
【０００６】
そこで、本発明は、１つの信号線対を構成する２つの信号線が他の信号線を挟むようにして端子に接続される場合であってもクロストークを抑制可能なコネクタを提供することを目的とする。
【課題を解決するための手段】
【０００７】
本発明は、第１のコネクタとして、
複数の信号線対を備えたケーブルに接続されるコネクタであって、
前記信号線対の夫々は、２つの信号線からなり、
前記信号線の夫々は、被保持部を有しており、
前記複数の信号線対には、１つの第１信号線対と、１つの第２信号線対とが含まれており、
前記コネクタは、ハウジングと、シールド部と、複数の端子とを備えており、
前記ハウジングは、前記シールド部と、前記端子と、前記信号線の前記被保持部とを保持しており、
前記端子は、ピッチ方向に並べられており、且つ、前記信号線に夫々接続されており、
前記第２信号線対の前記被保持部は、前記ピッチ方向において前記第１信号線対の２つの前記被保持部の間に位置しており、且つ、前記第１信号線対の前記被保持部は、前記ピッチ方向と直交する上下方向において前記第２信号線対の前記被保持部の上方に位置しており、
前記シールド部は、前記ピッチ方向において前記第１信号線対の２つの前記被保持部の間に位置しており、且つ、前記上下方向において前記第２信号線対の前記被保持部の上方に位置している
コネクタを提供する。
【０００８】
また、本発明は、第２のコネクタとして、第１のコネクタであって、
前記複数の信号線対には、前記第１信号線対及び前記第２信号線対に加えて、１以上の外側信号線対が含まれており、
前記外側信号線対の前記被保持部は、前記ピッチ方向において前記第１信号線対の前記被保持部の外側に位置している
コネクタを提供する。
【０００９】
また、本発明は、第３のコネクタとして、第１又は第２のコネクタであって、
前記コネクタは、分離部を備えており、
前記第１信号線対及び前記第２信号線対の前記信号線の夫々は、前記ピッチ方向及び前記上下方向の双方と直交する前後方向において前記被保持部の後方に位置する被分離部を有しており、
前記第１信号線対の前記被分離部は、少なくとも部分的に前記分離部の上方に位置しており、前記第２信号線対の前記被分離部は、前記分離部の下方に位置している
コネクタを提供する。
【００１０】
また、本発明は、第４のコネクタとして、第３のコネクタであって、
前記分離部は、金属からなり、前記シールド部と繋がっている
コネクタを提供する。
【００１１】
また、本発明は、第５のコネクタとして、第４のコネクタであって、
前記コネクタは、カバー部材を備えており、
前記分離部及び前記シールド部の夫々は、前記カバー部材の一部であり、
前記ケーブルは、シールド材を備えており、
前記カバー部材は、前記シールド材に接続されている
コネクタを提供する。
【００１２】
また、本発明は、第６のコネクタとして、第２のコネクタであって、
前記コネクタは、第１付加的シールド部と、第２付加的シールド部とを備えており、
前記外側信号線対には、１つの第１外側信号線対と、１つの第２外側信号線対とが含まれており、
前記第１信号線対の前記被保持部は、前記ピッチ方向において前記第１外側信号線対の前記被保持部と前記第２外側信号線対の前記被保持部との間に位置しており、
前記第１付加的シールド部は、前記第１外側信号線対の前記被保持部のうちの前記ピッチ方向内側の前記被保持部の上方に少なくとも位置しており、且つ、前記第２付加的シールド部は、前記第２外側信号線対の前記被保持部のうちの前記ピッチ方向内側の前記被保持部の上方に少なくとも位置している
コネクタを提供する。
【００１３】
また、本発明は、第７のコネクタとして、第６のコネクタであって、
前記第１付加的シールド部は、前記第１外側信号線対の２つの前記被保持部の上方に位置しており、且つ、前記第２付加的シールド部は、第２外側信号線対の２つの前記被保持部の上方に位置している
コネクタを提供する。
【００１４】
また、本発明は、第８のコネクタとして、第６又は第７のコネクタであって、
前記コネクタは、分離部を備えており、
前記第１信号線対、前記第２信号線対、前記第１外側信号線対及び前記第２外側信号線対の前記信号線の夫々は、前記ピッチ方向及び前記上下方向の双方と直交する前後方向において前記被保持部の後方に位置する被分離部を有しており、
前記第１信号線対の前記被分離部は、少なくとも部分的に前記分離部の上方に位置しており、前記第２信号線対、前記第１外側信号線対及び前記第２外側信号線対の前記信号線の前記被分離部は、前記分離部の下方に位置している
コネクタを提供する。
【００１５】
また、本発明は、第９のコネクタとして、第８のコネクタであって、
前記分離部は、金属からなり、前記シールド部、前記第１付加的シールド部及び前記第２付加的シールド部と繋がっている
コネクタを提供する。
【００１６】
また、本発明は、第１０のコネクタとして、第８又は第９のコネクタであって、
前記コネクタは、付加的分離部を備えており、
前記付加的分離部は、前記第２信号線対の前記被分離部を、前記第１外側信号線対の前記被分離部及び前記第２外側信号線対の前記被分離部から、前記ピッチ方向において分離している
コネクタを提供する。
【００１７】
また、本発明は、第１１のコネクタとして、第１０のコネクタであって、
前記分離部、前記シールド部及び前記付加的分離部の夫々は、前記カバー部材の一部であり、
前記ケーブルは、シールド材を備えており、
前記カバー部材は、前記シールド材に接続されている
コネクタを提供する。
【００１８】
また、本発明は、第１２のコネクタとして、第５又は第１１のコネクタであって、
前記コネクタは、シェルを備えており、
前記シェルは、前記カバー部材に接続されており、且つ、前記ピッチ方向及び前記上下方向によって規定される所定平面において、前記ハウジングを少なくとも部分的に覆っている
コネクタを提供する。
【００１９】
また、本発明は、第１３のコネクタとして、第１から第１２までのいずれかのコネクタであって、
前記ハウジングは、整列部材と、保持部材とを備えており、
前記整列部材は、前記信号線の前記被保持部を保持して整列させており、前記保持部材は、前記端子及び前記整列部材を保持している
コネクタを提供する。
【００２０】
また、本発明は、第１４のコネクタとして、第１から第１３までのいずれかのコネクタであって、
モジュラープラグである
コネクタを提供する。
【００２１】
また、本発明は、第１５のコネクタとして、
複数の信号線を有するケーブルに接続されるコネクタであって、
前記コネクタは、ハウジングと、シールド部と、前記複数の信号線に夫々接続される複数の端子とを備えており、
前記ハウジングは、前記シールド部と、前記端子とを保持しており、且つ、前記複数の信号線を夫々整列させる複数の整列部を有しており
前記端子は、ピッチ方向に並べられており、
前記整列部は、２つの第１整列部と、２つの第２整列部とを含んでおり、
前記第２整列部は、前記ピッチ方向において前記第１整列部の間に位置しており、且つ、前記第１整列部は、前記ピッチ方向と直交する上下方向において前記第２整列部の上方に位置しており、
前記シールド部は、前記ピッチ方向において前記第１整列部の間に位置しており、且つ、前記上下方向において前記第２整列部の上方に位置している
コネクタを提供する。
【発明の効果】
【００２２】
本発明によれば、ハウジングに保持された信号線の被保持部において、第１信号線対の２つの被保持部は、第２信号線対の被保持部をピッチ方向に挟んでいる。また、本発明によれば、シールド部は、ピッチ方向において第１信号線対の２つの被保持部の間に位置しており、且つ、上下方向において第２信号線対の被保持部の上方に位置している。このように配置されたシールド部は、第１信号線対の信号線と第２信号線対の信号線との間のクロストークを抑制する。即ち、本発明によれば、第１信号線対を構成する２つの信号線が他の信号線（第２信号線対の信号線）を挟むようにして端子に接続される場合であっても、クロストークを抑制可能である。
【図面の簡単な説明】
【００２３】
【図１】本発明の実施の形態によるコネクタを示す斜視図である。コネクタはケーブルに接続されている。
【図２】図１のコネクタの前側コネクタと後側コネクタとを示す斜視図である。後側コネクタはケーブルに接続されている。
【図３】図２の前側コネクタを示す分解斜視図である。
【図４】図３の前側コネクタの端子を示す斜視図である。
【図５】図２の後側コネクタを示す分解斜視図である。
【図６】図５の後側コネクタの上側カバー部材及び下側カバー部材を示す上面図である。上側カバー部材と下側カバー部材とは互いに組み合わされてカバー部材を形成している。カバー部材はケーブルに接続されている。
【図７】図６のカバー部材を示す底面図である。
【図８】図６のカバー部材を示す側面図である。
【図９】図６のカバー部材を示す正面図である。
【図１０】図２の後側コネクタを示す正面図である。
【図１１】図１０の後側コネクタをＸＩ−ＸＩ線に沿って示す断面図である。ケーブルの後端部を描画していない。ケーブルの外被及びシールド材は側面を描画している。シールド材の下に隠れた外被の輪郭を破線で描画している。
【図１２】図２の後側コネクタを示す側面図である。ケーブルの後端部を描画していない。
【図１３】図１２の後側コネクタをＸＩＩＩ−ＸＩＩＩ線に沿って示す断面図である。
【図１４】図１２の後側コネクタをＸＩＶ−ＸＩＶ線に沿って示す断面図である。
【図１５】図２の前側コネクタ及び後側コネクタを示す断面図である。後側コネクタは前側コネクタの後方に位置している。端子はケーブルの信号線に接続されていない。ケーブルの後端部を描画していない。
【図１６】図１５の前側コネクタ及び後側コネクタを示す断面図である。後側コネクタは前側コネクタに部分的に挿入されている。
【図１７】図１５の前側コネクタ及び後側コネクタを示す断面図である。後側コネクタは前側コネクタに挿入され取り付けられている。端子はケーブルの信号線に接続されている。
【図１８】特許文献１のコネクタを示す正面図である。
【発明を実施するための形態】
【００２４】
図１を参照すると、本発明の実施の形態によるコネクタ１０は、ＬＡＮ（local area network）ケーブルのモジュラープラグである。コネクタ１０は、使用時に、８芯のケーブル８０（ＬＡＮケーブル）に接続される。コネクタ１０がモジュラージャック（図示せず）と嵌合すると、ケーブル８０は、モジュラージャックに接続された相手側ケーブル（図示せず）と電気的に接続される。但し、本発明は、これに限られず、様々なコネクタに適用可能である。
【００２５】
図６を参照すると、本実施の形態におけるケーブル８０は、絶縁体からなる外被８２と、導電体からなるシールド材８４と、複数の信号線対８６とを備えている。シールド材８４は、編組と銅箔テープとを含んでいる。ケーブル８０をコネクタ１０に接続する前、シールド材８４の編組は、信号線対８６の束の外周を覆っており、外被８２は、シールド材８４の外周を覆っている（図示せず）。図６及び図１１を参照すると、ケーブル８０をコネクタ１０に接続する際、Ｘ方向（前後方向）におけるケーブル８０の前端部（＋Ｘ側の端部）の外被８２は除去され、残った編組は、後方（−Ｘ方向）に折り返されて外被８２上に位置する。折り返された編組の外周上に、シールド材８４の銅箔テープが巻かれる。この結果、ケーブル８０の前端部（接続端部８０Ｃ）において、外被８２は、シールド材８４の外周を覆うと共に、シールド材８４によって外周が覆われる。
【００２６】
図６を参照すると、信号線対８６の夫々は、差動信号を伝送する２つの信号線８８からなる。図１１を参照すると、信号線８８の夫々は、絶縁体からなる被覆８８２と、導電体からなる芯線８８４とを備えている。芯線８８４の外周は、被覆８８２によって覆われている。外被８２を除去する前、信号線対８６は、ケーブル８０の内部に収容されており、シールド材８４によってシールドされている。このとき、信号線対８６の夫々は、ケーブル８０の内部において、撚り合わされた状態で延びている（図示せず）。外被８２が除去されて接続端部８０Ｃが形成されたとき、信号線対８６の夫々の前端部は、撚り戻されて接続端部８０Ｃから露出しており、接続端部８０Ｃから前方（＋Ｘ方向）に延びている。
【００２７】
図６を参照すると、複数の信号線対８６には、１つの第１信号線対８６１と、１つの第２信号線対８６２とが含まれている。また、複数の信号線対８６には、第１信号線対８６１及び第２信号線対８６２に加えて、１以上の外側信号線対８６５が含まれている。外側信号線対８６５には、１つの第１外側信号線対８６６と、１つの第２外側信号線対８６７とが含まれている。
【００２８】
本実施の形態におけるケーブル８０は、上述のように、４つの信号線対８６を備えた８芯の丸型ＬＡＮケーブルであり、信号線対８６の夫々は、ケーブル８０の内部でツイストペアを形成している。第１信号線対８６１、第２信号線対８６２、第１外側信号線対８６６及び第２外側信号線対８６７は、ＬＡＮモジュラージャックの３−６ピン、４−５ピン、１−２ピン及び７−８ピンに夫々対応している。但し、本発明は、これに限られず、ケーブル８０は、様々な規格に対応した様々な信号線対８６を備えていてもよく、フラットケーブルであってもよい。
【００２９】
本実施の形態におけるシールド材８４は、編組と銅箔テープとを含んでいる。但し、本発明は、これに限られない。例えば、シールド材８４は、銅箔テープ以外の金属テープを含んでいてもよく、ドレイン線を含んでいてもよい。
【００３０】
図２を参照すると、本実施の形態のコネクタ１０は、前側コネクタ１２と、後側コネクタ１４とを備えている。図１７を参照すると、後側コネクタ１４は、前側コネクタ１２に取り付けられている。図３を参照すると、前側コネクタ１２は、絶縁体からなる保持部材２０と、金属からなるシェル３０と、導電体からなる複数の端子４０とを備えている。図５を参照すると、後側コネクタ１４は、金属からなる上側カバー部材（カバー部材）５０と、金属からなる下側カバー部材（カバー部材）６０と、絶縁体からなる整列部材７０とを備えている。
【００３１】
図１７を参照すると、コネクタ１０において、前側コネクタ１２の保持部材２０と後側コネクタ１４の整列部材７０とは互いに組み合わされており、１つのハウジング１６として機能する。また、上側カバー部材５０と下側カバー部材６０とは互いに組み合わされており、１つのカバー部材１８として機能する。換言すれば、本実施の形態において、ハウジング１６は、保持部材２０と、整列部材７０とを備えており、カバー部材１８は、上側カバー部材５０と、下側カバー部材６０とを備えている。また、コネクタ１０は、互いに別体な保持部材２０及び整列部材７０からなるハウジング１６と、互いに別体な上側カバー部材５０及び下側カバー部材６０からなるカバー部材１８とを備えている。但し、本発明は、これに限られず、コネクタ１０の構造は、後述するように様々に変形可能である。
【００３２】
以下、前側コネクタ１２の構造について説明する。
【００３３】
図３及び図１５を参照すると、ハウジング１６の保持部材２０は、全体として、後方に開口した直方体の箱形状を有している。図１５を参照すると、保持部材２０の内部には、収容部２２が形成されている。収容部２２は、後方に向かって開口した空間である。保持部材２０は、底板部２０８を有している。底板部２０８は、上下方向（Ｚ方向）において収容部２２の下に位置している。図３及び図１５を参照すると、ピッチ方向（Ｙ方向）における保持部材２０の両側部には、抜止孔２２２が夫々形成されている。抜止孔２２２の夫々は、保持部材２０の側部をＹ方向に貫通しており、収容部２２と連通している。
【００３４】
図１５を図３と併せて参照すると、保持部材２０の前端部には、端子４０に夫々対応した複数の端子保持部２４と、整列部材保持部２６と、端子４０に夫々対応した複数の接続溝２８とが形成されている。接続溝２８の夫々は、保持部材２０の前端部の下部（−Ｚ側の部位）に形成された溝であり、前方及び下方（−Ｚ方向）に開口している。接続溝２８は、Ｙ方向において等間隔に並んでいる。端子保持部２４の夫々は、保持部材２０の底板部２０８に形成された孔である。端子保持部２４の夫々は、保持部材２０の底板部２０８をＺ方向に貫通しており、収容部２２と連通している。端子保持部２４は、接続溝２８の上に夫々位置している。整列部材保持部２６は、収容部２２の前端部である。
【００３５】
図３を参照すると、シェル３０は、曲げを有する１枚の金属板である。図２を参照すると、シェル３０は、後方から保持部材２０の外面に取り付けられており、ピッチ方向及び上下方向によって規定される所定平面（即ち、Ｘ方向と直交するＹＺ平面）において、保持部材２０を部分的に覆っている。
【００３６】
図３及び図４を参照すると、端子４０の夫々は、２つの接続片４２と、被受容部４４とを有している。端子４０の夫々において、２つの接続片４２は、端子４０の上端部（＋Ｚ側の端部）に位置しており、Ｘ方向において互いに離れている。接続片４２の夫々は、上方（＋Ｚ方向）に向かって尖っている。端子４０の夫々において、２つの接続片４２の上端は、Ｙ方向において互いに僅かに離れている。被受容部４４の夫々は、Ｘ方向内側に凹んだ幅狭の部位（Ｘ方向において小さなサイズを有する部位）であり、端子４０のＺ方向における中間部に位置している。
【００３７】
図１７を参照すると、端子４０の夫々は、後側コネクタ１４を前側コネクタ１２に取り付けた後に、対応する端子保持部２４に保持される。端子４０は、ケーブル８０の信号線８８に夫々対応している。従って、本実施の形態における端子４０の数は８である。図４を参照すると、端子４０は、同じ形状及びサイズの２つの第１端子４０２と、同じ形状及びサイズの６つの第２端子４０４とを含んでいる。第１端子４０２の夫々における被受容部４４と接続片４２との間のサイズは、第２端子４０４の夫々における被受容部４４と接続片４２との間のサイズよりも大きい。この相違点を除き、８つの端子４０は、同じ構造を有している。
【００３８】
以下、後側コネクタ１４の各部材の構造について説明する。
【００３９】
図５を参照すると、カバー部材１８の上側カバー部材５０は、曲げを有する１枚の金属板である。上側カバー部材５０（カバー部材１８）は、上板部５２と、連結部５２２と、かしめ部５２４と、２つの側板部５４と、分離部５６と、シールド部５８２と、第１付加的シールド部（シールド部）５８４と、第２付加的シールド部（シールド部）５８６とを有している。即ち、コネクタ１０（後側コネクタ１４）は、金属からなる分離部５６と、金属からなるシールド部５８２と、金属からなる第１付加的シールド部５８４と、金属からなる第２付加的シールド部５８６とを備えている。また、分離部５６、シールド部５８２、第１付加的シールド部５８４及び第２付加的シールド部５８６の夫々は、上側カバー部材５０（カバー部材１８）の一部である。
【００４０】
上板部５２は、上側カバー部材５０の上端に位置しており、Ｚ方向と直交する水平面（ＸＹ平面）に沿って延びている。上板部５２は、ＸＹ平面において矩形形状を有している。かしめ部５２４は、上板部５２の後方に位置している。連結部５２２は、上板部５２の後端（−Ｘ側の端）とかしめ部５２４の前端とを互いに連結している。側板部５４は、上板部５２のＹ方向における両側から下方に向かって夫々延びている。側板部５４の夫々には、弾性変形可能なバネ片５４２と、側板部５４をＹ方向に貫通する２つの係合孔５４４とが形成されている。
【００４１】
分離部５６は、上板部５２の前端から前方に延びている。詳しくは、分離部５６は、上板部５２の前端から下方に傾斜しつつ前方に延びた後、上方に傾斜しつつ前方に延びている。換言すれば、分離部５６は、垂直平面（ＸＺ平面）において、下方に張り出している。分離部５６には、分離孔５６２が形成されている。分離孔５６２は、分離部５６のうちの下方に傾斜した部位のＹ方向における中間部に位置している。本実施の形態による分離孔５６２は、Ｙ方向に長い楕円形状を有する孔であり、分離部５６と直交する方向に沿って分離部５６を貫通している。但し、本発明は、これに限られない。例えば、分離部５６は、分離孔５６２に代えて分離溝を有していてもよい。
【００４２】
シールド部５８２、第１付加的シールド部５８４及び第２付加的シールド部５８６の夫々は、ＸＹ平面と平行な平板形状を有しており、分離部５６の前端から前方に延びている。換言すれば、分離部５６は、シールド部５８２、第１付加的シールド部５８４及び第２付加的シールド部５８６と繋がっている。シールド部５８２、第１付加的シールド部５８４及び第２付加的シールド部５８６は、Ｙ方向において等間隔に並んでいる。シールド部５８２は、分離部５６のＹ方向における中間部に位置している。第１付加的シールド部５８４及び第２付加的シールド部５８６は、Ｙ方向において間隔をあけてシールド部５８２の両側に夫々位置している。シールド部５８２の上面（＋Ｚ側の面）には、上方に向かって僅かに突出した２つの突起５８３が形成されている。
【００４３】
カバー部材１８の下側カバー部材６０は、曲げを有する１枚の金属板である。下側カバー部材６０（カバー部材１８）は、付加的分離部６２と、２つの側板部６４と、下板部６６とを有している。即ち、コネクタ１０（後側コネクタ１４）は、金属からなる付加的分離部６２を備えている。また、付加的分離部６２は、下側カバー部材６０（カバー部材１８）の一部である。
【００４４】
下板部６６は、下側カバー部材６０の下端（−Ｚ側の端）に位置しており、ＸＹ平面に沿って延びている。下板部６６は、ＸＹ平面において、矩形形状を有している。付加的分離部６２は、下板部６６の前端から上方に向かって延びている。側板部６４は、下板部６６のＹ方向における両側から上方に向かって夫々延びている。側板部６４の夫々には、Ｙ方向外側に突出した２つの係合突起６４４が形成されている。
【００４５】
付加的分離部６２は、３つの付加的分離溝６２２、６２４、６２６を有している。付加的分離溝６２２、６２４、６２６の夫々は、付加的分離部６２に形成されており、付加的分離部６２をＸ方向に貫通している。付加的分離溝６２２、６２４、６２６の夫々は、ＹＺ平面において矩形形状を有する孔（矩形孔）と、矩形孔のＹ方向における中間部から上方に延びて上方に開口した狭い溝とからなる。付加的分離溝６２２、６２４、６２６は、Ｙ方向において等間隔に並んでいる。付加的分離溝６２２は、付加的分離部６２のＹ方向における中間部に位置している。付加的分離溝６２４及び付加的分離溝６２６は、Ｙ方向において間隔をあけて付加的分離溝６２２の両側に夫々位置している。
【００４６】
本実施の形態によれば、付加的分離溝６２２、６２４、６２６の夫々は溝である。但し、本発明は、これに限られない。例えば、付加的分離部６２は、付加的分離溝６２２、６２４、６２６に代えて３つの付加的分離孔を有していてもよい。
【００４７】
ハウジング１６の整列部材７０は、主部７２と、２つの後側板部７８とを有している。主部７２は、直方体形状を有している。後側板部７８は、主部７２の後端のＹ方向における両側から後方に向かって夫々延びている。
【００４８】
図１０、図１１、図１３及び図１４を参照すると、主部７２は、複数の整列部７６と、整列部７６に夫々対応する複数のガイド溝７７とを有している。整列部７６の夫々は、主部７２をＸ方向に貫通する孔である。詳しくは、図１１を参照すると、整列部７６の夫々において、前端部は、主部７２の前端部をＸ方向に貫通しており、後端部は、主部７２の後端部をＸ方向に貫通している。一方、整列部７６の夫々のＸ方向における中間部は、対応するガイド溝７７と繋がっている。図１１、図１３及び図１４を参照すると、ガイド溝７７の夫々は、対応する整列部７６から下方に延びて下方に開口している。
【００４９】
図１０を参照すると、整列部７６は、ケーブル８０の８つの信号線８８に夫々対応して設けられている。従って、本実施の形態における整列部７６の数は８である。即ち、コネクタ１０は、ケーブル８０の信号線８８に夫々対応した複数の整列部７６を備えている。整列部７６は、第１信号線対８６１に対応する２つの第１整列部７６１と、第２信号線対８６２に対応する２つの第２整列部７６２と、第１外側信号線対８６６に対応する２つの第３整列部７６３と、第２外側信号線対８６７に対応する２つの第４整列部７６４とを含んでいる。第２整列部７６２は、Ｙ方向において第１整列部７６１の間に位置しており、且つ、第１整列部７６１は、Ｚ方向において第２整列部７６２の上方に位置している。また、第３整列部７６３及び第４整列部７６４は、Ｙ方向において第１整列部７６１の外側に位置している。
【００５０】
図１１、図１３及び図１４を参照すると、主部７２は、受容部７４２と、第１付加的受容部（受容部）７４４と、第２付加的受容部（受容部）７４６とを有している。受容部７４２、７４４、７４６の夫々は、主部７２の内部をＸ方向に沿って延びる空間であり、後方に開口している。受容部７４２、７４４、７４６は、上側カバー部材５０（カバー部材１８）のシールド部５８２、５８４、５８６に夫々対応して設けられている。詳しくは、受容部７４２、７４４、７４６は、ＹＺ平面において、シールド部５８２、５８４、５８６に夫々対応する位置に配置されている。加えて、受容部７４２、７４４、７４６のＹＺ平面における形状は、シールド部５８２、５８４、５８６のＹＺ平面における形状と夫々同様な矩形であり、受容部７４２、７４４、７４６のＹＺ平面におけるサイズは、シールド部５８２、５８４、５８６のＹＺ平面におけるサイズよりも夫々僅かに大きい。
【００５１】
以下、上側カバー部材５０、下側カバー部材６０及び整列部材７０を組み合わせて形成される後側コネクタ１４の構造について説明する。
【００５２】
図６から図８までを参照すると、ケーブル８０をコネクタ１０に接続する際、ケーブル８０の接続端部８０Ｃは、かしめ部５２４によってかしめられ、これにより、ケーブル８０は、上側カバー部材５０（カバー部材１８）に取り付けられる。ケーブル８０を上側カバー部材５０に取り付ける際、接続端部８０Ｃから露出した第１信号線対８６１の信号線８８は、分離孔５６２を下から上に通過した後、分離部５６の上方を通って前方に向かって延びる。一方、接続端部８０Ｃから露出した第２信号線対８６２、第１外側信号線対８６６及び第２外側信号線対８６７の信号線８８は、分離部５６の下方を通って前方に延びる。
【００５３】
信号線８８が上述のように延びているため、信号線８８の夫々は、Ｘ方向において分離部５６と同じ位置にある被分離部８９６と、分離部５６の前端を越えて前方に延びる被保持部８９２とを有している。換言すれば、第１信号線対８６１、第２信号線対８６２、第１外側信号線対８６６及び第２外側信号線対８６７の信号線８８の夫々は、被保持部８９２と、Ｘ方向において被保持部８９２の後方に位置する被分離部８９６とを有している。
【００５４】
図６から図９までを参照すると、第１信号線対８６１において、被分離部８９６の前端部は、分離部５６の上方に位置しており、被分離部８９６の後端部は、分離部５６の下方に位置している。一方、第２信号線対８６２、第１外側信号線対８６６及び第２外側信号線対８６７の被分離部８９６は、分離部５６の下方に位置している。
【００５５】
分離部５６による分離により、第１信号線対８６１の被分離部８９６の少なくとも一部は、他の信号線対８６（第２信号線対８６２、第１外側信号線対８６６及び第２外側信号線対８６７）の被分離部８９６から離れて位置し、これにより、第１信号線対８６１と他の信号線対８６との間のクロストークが抑制される。特に、分離部５６は、金属からなり、且つ、後述するようにコネクタ１０の使用時にグランドに接続される。このため、第１信号線対８６１と他の信号線対８６との間のクロストークが更に抑制される。但し、本発明は、これに限られず、分離部５６は、必要に応じて設ければよい。また、分離部５６を設ける場合、必要な材料を使用して必要な形状に形成すればよい。
【００５６】
本実施の形態によれば、第１信号線対８６１の被分離部８９６は、部分的に分離部５６の上方に位置している。但し、本発明は、これに限られない。例えば、第１信号線対８６１の被分離部８９６は、全体的に分離部５６の上方に位置していてもよい。即ち、分離部５６を設ける場合、第１信号線対８６１の被分離部８９６は、少なくとも部分的に分離部５６の上方に位置していてもよい。
【００５７】
図５及び図８を参照すると、下側カバー部材６０は、上側カバー部材５０にケーブル８０を取り付けた後、係合突起６４４を係合孔５４４に夫々係合させつつ、下方から上側カバー部材５０の内部に取り付けられる。図８を参照すると、この結果、カバー部材１８全体が、かしめ部５２４を介してシールド材８４に電気的に接続される。即ち、上側カバー部材５０及び下側カバー部材６０の各部位は、コネクタ１０の使用時にグランドに接続される。
【００５８】
図９及び図１１を参照すると、下側カバー部材６０を上側カバー部材５０に取り付ける際、第２信号線対８６２の２つの信号線８８の被分離部８９６は、付加的分離溝６２２を通って前方に延びる。図９を参照すると、このとき、第１外側信号線対８６６の２つの信号線８８の被分離部８９６は、付加的分離溝６２４を通って前方に延び、第２外側信号線対８６７の２つの信号線８８の被分離部８９６は、付加的分離溝６２６を通って前方に延びる。
【００５９】
本実施の形態によれば、第２信号線対８６２、第１外側信号線対８６６及び第２外側信号線対８６７の被分離部８９６は、付加的分離部６２の付加的分離溝６２２、６２４、６２６を夫々通過しており、これにより、Ｙ方向において互いに離れつつ、Ｘ方向に延びている。即ち、下側カバー部材６０（カバー部材１８）の付加的分離部６２は、第２信号線対８６２の２つの被分離部８９６を、第１外側信号線対８６６の２つの被分離部８９６及び第２外側信号線対８６７の２つの被分離部８９６から、Ｙ方向において分離している。
【００６０】
本実施の形態によれば、付加的分離部６２による被分離部８９６の分離により、第２信号線対８６２、第１外側信号線対８６６及び第２外側信号線対８６７の被分離部８９６は、少なくとも部分的に互いに離れて位置し、これにより、第２信号線対８６２、第１外側信号線対８６６及び第２外側信号線対８６７の間のクロストークが抑制される。特に、付加的分離部６２は、金属からなり、且つ、コネクタ１０の使用時にグランドに接続される。このため、第２信号線対８６２、第１外側信号線対８６６及び第２外側信号線対８６７の間のクロストークが更に抑制される。但し、本発明は、これに限られず、付加的分離部６２は、必要に応じて設ければよい。また、付加的分離部６２を設ける場合、必要な材料を使用して必要な形状に形成すればよい。
【００６１】
図６から図８までを参照すると、上側カバー部材５０及び下側カバー部材６０を互いに組み合わせて形成したカバー部材１８は、ＹＺ平面において、ケーブル８０の接続端部８０Ｃの殆どの部位を覆っている。また、カバー部材１８（上側カバー部材５０及び下側カバー部材６０）は、ＹＺ平面において、第１信号線対８６１、第２信号線対８６２、第１外側信号線対８６６及び第２外側信号線対８６７の８つの信号線８８の被分離部８９６を少なくとも部分的に覆っており、シールドしている。
【００６２】
本実施の形態によれば、カバー部材１８は、ＹＺ平面において、８つの信号線８８の被分離部８９６の後端部と、８つの信号線８８のうち被分離部８９６の後方に位置する部位を覆っている。但し、本発明は、これに限られない。例えば、カバー部材１８は、ＹＺ平面において、８つの被分離部８９６全体を覆っていてもよい。更に、カバー部材１８は、８つの信号線８８の被保持部８９２を部分的に覆っていてもよい。一方、カバー部材１８は、ＹＺ平面において、８つの信号線８８のうち被分離部８９６の後方に位置する部位のみを覆っていてもよい。カバー部材１８は、必要に応じて設けてもよい。カバー部材１８を設ける場合、カバー部材１８は、２つの部材（上側カバー部材５０及び下側カバー部材６０）の組み合わせではなく、単一の部材であってもよいし、３つ以上の部材の組み合わせであってもよい。
【００６３】
カバー部材１８が形成されたとき、第２信号線対８６２、第１外側信号線対８６６及び第２外側信号線対８６７の６つの被分離部８９６は、分離部５６の下方において折り曲げられており、これにより、６つの被保持部８９２は、Ｙ方向に並んで前方に延びている。第１信号線対８６１の２つの被分離部８９６は、分離部５６の上方において折り曲げられており、これにより、２つの被保持部８９２は、Ｙ方向に並んで前方に延びている。４つの信号線対８６の８つの被保持部８９２は、Ｙ方向において等間隔に並んでいる。
【００６４】
詳しくは、第２信号線対８６２の２つの被保持部８９２は、Ｙ方向において第１信号線対８６１の２つの被保持部８９２の間に位置しており、且つ、第１信号線対８６１の２つの被保持部８９２は、Ｚ方向において第２信号線対８６２の２つの被保持部８９２の上方に位置している。また、第１信号線対８６１の２つの被保持部８９２は、Ｙ方向において第１外側信号線対８６６の２つの被保持部８９２と第２外側信号線対８６７の２つの被保持部８９２との間に位置している。換言すれば、２つの外側信号線対８６５の被保持部８９２は、Ｙ方向において第１信号線対８６１の２つの被保持部８９２の外側に位置している。
【００６５】
図２、図５及び図１２を参照すると、整列部材７０は、前方からカバー部材１８に取り付けられており、これにより後側コネクタ１４が形成されている。図１１、図１３及び図１４を参照すると、整列部材７０をカバー部材１８に取り付ける際、カバー部材１８の３つのシールド部５８２、５８４、５８６は、整列部材７０の３つの受容部７４２，７４４、７４６に夫々受容され、これによりカバー部材１８は、整列部材７０に対して位置決めされる。図１３及び図１４を参照すると、このとき、シールド部５８２の突起５８３は、受容部７４２の上壁面に押し付けられ、これによりカバー部材１８は、整列部材７０に保持される。
【００６６】
図１０及び図１１を参照すると、整列部材７０をカバー部材１８に取り付ける際、８つの信号線８８の夫々の被保持部８９２は、対応する整列部７６に挿入され、これにより、８つの整列部７６は、８つの被保持部８９２を夫々保持して整列させている。換言すれば、整列部材７０は、信号線８８の被保持部８９２を保持して整列させている。図１０を参照すると、第１信号線対８６１の２つの被保持部８９２は、２つの第１整列部７６１に夫々保持され、第２信号線対８６２の２つの被保持部８９２は、２つの第２整列部７６２に夫々保持され、第１外側信号線対８６６の２つの被保持部８９２は、２つの第３整列部７６３に夫々保持され、第２外側信号線対８６７の２つの被保持部８９２は、２つの第４整列部７６４に夫々保持される。
【００６７】
図１１を参照すると、本実施の形態によれば、上側カバー部材５０及び信号線対８６は、整列部材７０によって直接的に保持されている一方、下側カバー部材６０は、整列部材７０によって直接的に保持されていない。但し、本発明は、これに限られない。例えば、下側カバー部材６０は、整列部材７０によって直接的に保持されていてもよい。また、整列部材７０は、必要に応じて設けてもよい。
【００６８】
本実施の形態によれば、まず、かしめ部５２４によってケーブル８０の接続端部８０Ｃをかしめ、その後、接続端部８０Ｃを挟むようにして、下側カバー部材６０を上側カバー部材５０に取り付ける。整列部材７０は、その後で取り付けられる。但し、本発明は、これに限られない。例えば、まず、接続端部８０Ｃを挟むようにして、下側カバー部材６０を上側カバー部材５０に取り付け、その後、整列部材７０を取り付け、更にその後、かしめ部５２４によって接続端部８０Ｃをかしめてもよい。
【００６９】
以下、前側コネクタ１２（図２参照）と後側コネクタ１４とを組み合わせて形成されるコネクタ１０（図１参照）の構造について説明する。
【００７０】
図１５から図１７までを参照すると、後側コネクタ１４は、前側コネクタ１２の収容部２２に後方から挿入されて収容されており、これによりコネクタ１０が形成されている。後側コネクタ１４を収容部２２に挿入する際、カバー部材１８の下板部６６は、シェル３０の一部を弾性変形させつつシェル３０と接触する。後側コネクタ１４が収容部２２に収容されると、整列部材７０は、整列部材保持部２６に収容され保持される。また、後側コネクタ１４の２つのバネ片５４２（図２参照）は、前側コネクタ１２の２つの抜止孔２２２に受容され、これにより前側コネクタ１２からの後側コネクタ１４の抜け落ちが防止される。
【００７１】
図１７を図１と併せて参照すると、シェル３０は、カバー部材１８に接続されている。このため、シェル３０は、コネクタ１０の使用時に、カバー部材１８及びケーブル８０のシールド材８４と等電位（グランド電位）になる。シェル３０は、ＹＺ平面において、ハウジング１６を少なくとも部分的に覆っている。詳しくは、本実施の形態において、シェル３０は、８つの信号線８８の被保持部８９２及び被分離部８９６をＹ方向両側から覆ってシールドしている。但し、本発明は、これに限られない。例えば、シェル３０は、ＹＺ平面において、８つの信号線８８の被保持部８９２及び被分離部８９６全体を覆っていてもよい。
【００７２】
図１６及び図１７を参照すると、後側コネクタ１４が前側コネクタ１２に取り付けられた後、８つの端子４０（図４参照）は、信号線８８の被保持部８９２に夫々接続される。図１３及び図１７を参照すると、２つの第１端子４０２（図４参照）は、第１信号線対８６１の２つの被保持部８９２に夫々接続され、６つの第２端子４０４（図４参照）は、第２信号線対８６２、第１外側信号線対８６６及び第２外側信号線対８６７の６つの被保持部８９２に夫々接続される。
【００７３】
図１６及び図１７を参照すると、端子４０の夫々は、下方から対応する接続溝２８を通って、対応する端子保持部２４に圧入されている。この結果、端子４０の夫々の被受容部４４は、対応する端子保持部２４の内部に受容され、端子４０は、保持部材２０の底板部２０８を上下に挟むようにして保持される。このとき、端子４０の夫々の２つの接続片４２は、整列部材７０の対応するガイド溝７７に下方から挿入され、対応する信号線８８の芯線８８４に接続される。詳しくは、２つの接続片４２は、対応する信号線８８の被覆８８２を破って信号線８８の内部に入り、芯線８８４をＹ方向に挟み込む。
【００７４】
図４及び図１３を参照すると、端子４０がガイド溝７７を夫々通過して信号線８８に夫々接続されたとき、端子４０は、Ｙ方向に並べられている。図１７を図１と併せて参照すると、このように配置された端子４０の下端部は、接続溝２８の内部に位置しており、モジュラージャック（図示せず）の相手側端子と接続可能である。
【００７５】
図１７を図１３と併せて参照すると、本実施の形態によれば、保持部材２０及び整列部材７０からなるハウジング１６は、シールド部５８２、５８４、５８６と、端子４０と、信号線８８の被保持部８９２とを保持している。詳しくは、ハウジング１６のうちの整列部材７０が、シールド部５８２、５８４、５８６と、被保持部８９２とを保持しており、ハウジング１６のうちの保持部材２０が端子４０と、整列部材７０とを保持している。但し、本発明は、これに限られない。例えば、保持部材２０と整列部材７０とは、互いに一体の部材であってもよい。換言すれば、保持部材２０及び整列部材７０の夫々は、一体に形成されたハウジング１６の一部であってもよい。この場合、ハウジング１６は、シールド部５８２、５８４、５８６と、端子４０と、信号線８８の被保持部８９２とを直接的に保持する。
【００７６】
図１７を参照すると、本実施の形態によれば、コネクタ１０は、ケーブル８０を取り付ける後側コネクタ１４と、後側コネクタ１４に取り付けられたケーブル８０の信号線８８を接続する前側コネクタ１２との２つの構造体を含んでいる。この構造により、ケーブル８０をコネクタ１０に容易に接続できる。但し、本発明は、これに限られず、コネクタ１０は、ケーブル８０を接続可能な単一の構造体であってもよい。
【００７７】
図１０を参照すると、本実施の形態によれば、ハウジング１６に保持された８つの信号線８８の被保持部８９２において、第１信号線対８６１の２つの被保持部８９２は、第２信号線対８６２の被保持部８９２をＹ方向に挟んでいる。図１３及び図１４を図１０と併せて参照すると、本実施の形態によれば、シールド部５８２は、Ｙ方向において第１信号線対８６１の２つの被保持部８９２の間（２つの第１整列部７６１の間）に位置しており、且つ、Ｚ方向において第２信号線対８６２の被保持部８９２の上方（第２整列部７６２の上方）に位置している。
【００７８】
上述のように配置されたシールド部５８２は、第１信号線対８６１の信号線８８と第２信号線対８６２の信号線８８との間のクロストークを抑制する。即ち、本実施の形態によれば、第１信号線対８６１を構成する２つの信号線８８が他の信号線（第２信号線対８６２の信号線８８）を挟むようにして端子４０（図１７参照）に接続される場合であっても、クロストークを抑制可能である。
【００７９】
また、本実施の形態によれば、第１付加的シールド部５８４は、第１外側信号線対８６６の２つの被保持部８９２の上方（２つの第３整列部７６３の上方）に位置しており、且つ、第２付加的シールド部５８６は、第２外側信号線対８６７の２つの被保持部８９２の上方（２つの第４整列部７６４の上方）に位置している。このように配置された第１付加的シールド部５８４及び第２付加的シールド部５８６は、第１信号線対８６１の信号線８８と第１外側信号線対８６６及び第２外側信号線対８６７の信号線８８との間のクロストークを抑制する。
【００８０】
本実施の形態におけるシールド部５８２、第１付加的シールド部５８４及び第２付加的シールド部５８６の夫々は、Ｚ方向において、第１信号線対８６１の被保持部８９２（第１整列部７６１）と同じ位置にある。但し、本発明は、これに限られない。例えば、シールド部５８２、第１付加的シールド部５８４及び第２付加的シールド部５８６の夫々は、Ｚ方向において、第１信号線対８６１の被保持部８９２（第１整列部７６１）の下方に位置していてもよい。
【００８１】
詳しくは、ケーブル８０に接続されたコネクタ１０に、第１信号線対８６１の被保持部８９２（第１整列部７６１）からなる第１列と、シールド部５８２、５８４、５８６からなる第２列と、第２信号線対８６２の被保持部８９２（第２整列部７６２）及び外側信号線対８６５の被保持部８９２（第３整列部７６３及び第４整列部７６４）からなる第３列の３つの列が形成されていてもよい。この場合、Ｚ方向において、第１列は、第２列の上方に位置し、第３列は、第２列の下方に位置する。即ち、第２列は、Ｚ方向において、第１列と第３列との間に位置する。
【００８２】
また、第１外側信号線対８６６の２つの被保持部８９２（２つの第３整列部７６３）のうち、Ｙ方向外側の被保持部８９２（Ｙ方向外側の第３整列部７６３）を、上述した第２列のシールド部５８４の隣に配置して、Ｙ方向内側の被保持部８９２（Ｙ方向内側の第３整列部７６３）の上方に位置させていてもよい。即ち、第１付加的シールド部５８４は、第１外側信号線対８６６の２つの被保持部８９２（２つの第３整列部７６３）のうちのＹ方向内側の被保持部８９２（Ｙ方向内側の第３整列部７６３）の上方に少なくとも位置してもよい。
【００８３】
同様に、第２外側信号線対８６７の２つの被保持部８９２（２つの第４整列部７６４）のうち、Ｙ方向外側の被保持部８９２（Ｙ方向外側の第４整列部７６４）を、上述した第２列のシールド部５８６の隣に配置して、Ｙ方向内側の被保持部８９２（Ｙ方向内側の第４整列部７６４）の上方に位置させていてもよい。即ち、第２付加的シールド部５８６は、第２外側信号線対８６７の２つの被保持部８９２（２つの第４整列部７６４）のうちのＹ方向内側の被保持部８９２（Ｙ方向内側の第４整列部７６４）の上方に少なくとも位置してもよい。
【符号の説明】
【００８４】
１０                    コネクタ
１２                    前側コネクタ
１４                    後側コネクタ
１６                    ハウジング
１８                    カバー部材
２０                    保持部材
２０８                  底板部
２２                    収容部
２２２                  抜止孔
２４                    端子保持部
２６                    整列部材保持部
２８                    接続溝
３０                    シェル
４０                    端子
４０２                  第１端子
４０４                  第２端子
４２                    接続片
４４                    被受容部
５０                    上側カバー部材（カバー部材）
５２                    上板部
５２２                  連結部
５２４                  かしめ部
５４                    側板部
５４２                  バネ片
５４４                  係合孔
５６                    分離部
５６２                  分離孔
５８２                  シールド部
５８３                  突起
５８４                  第１付加的シールド部（シールド部）
５８６                  第２付加的シールド部（シールド部）
６０                    下側カバー部材（カバー部材）
６２                    付加的分離部
６２２，６２４，６２６  付加的分離溝
６４                    側板部
６４４                  係合突起
６６                    下板部
７０                    整列部材
７２                    主部
７４２                  受容部
７４４                  第１付加的受容部（受容部）
７４６                  第２付加的受容部（受容部）
７６                    整列部
７６１                  第１整列部
７６２                  第２整列部
７６３                  第３整列部
７６４                  第４整列部
７７                    ガイド溝
７８                    後側板部
８０                    ケーブル
８０Ｃ                  接続端部
８２                    外被
８４                    シールド材
８６                    信号線対
８６１                  第１信号線対
８６２                  第２信号線対
８６５                  外側信号線対
８６６                  第１外側信号線対
８６７                  第２外側信号線対
８８                    信号線
８８２                  被覆
８８４                  芯線
８９２                  被保持部
８９６                  被分離部
【図１】
2019114401.tif 000003
【図２】
2019114401.tif 000004
【図３】
2019114401.tif 000005
【図４】
2019114401.tif 000006
【図５】
2019114401.tif 000007
【図６】
2019114401.tif 000008
【図７】
2019114401.tif 000009
【図８】
2019114401.tif 000010
【図９】
2019114401.tif 000011
【図１０】
2019114401.tif 000012
【図１１】
2019114401.tif 000013
【図１２】
2019114401.tif 000014
【図１３】
2019114401.tif 000015
【図１４】
2019114401.tif 000016
【図１５】
2019114401.tif 000017
【図１６】
2019114401.tif 000018
【図１７】
2019114401.tif 000019
【図１８】
2019114401.tif 000020